(57)【要約】      （修正有）【課題】立ったまま放尿する時、小便器外へ尿が飛び散らないようにする尿の飛散防止と尿の臭いを防止する小便器を提供する。【解決手段】小便器１の上部外側に送風機２から送られた風を、小便器１下部の前部１０方向に放出する放出口４を設け、周辺区域検知センサー７ａと至近距離区域検知センサー７ｂの二つの人体検知センサーを放出口４傍に設ける。使用者が小便器１に接近すると、周辺区域検知センサー７ａが人体を検知して、およそ五秒〜八秒後に送風機２が作動して放出口４から微風を放出する。この風は、およそ二秒〜四秒後に放尿中の尿を揺らす風力になり、放尿するには困難な状況になり、放尿する者が、小便器１に、より接近すると、至近距離区域検知センサー７ｂが人体検知して、送風機２が一時停止され、放尿可能となる。【選択図】図１
2014139369.tif 000002
【特許請求の範囲】
【請求項１】
一端部側に送風機と、中間部に送風孔と、他端部側には、前記送風機から送られた風を放出する放出口が小便器の上部の周縁部付近に設けられ、前記小便器の下部方向へ向けられている。また、前記小便器付近には、前記小便器の周辺に位置する人体を検知して前記送風機を作動させる周辺区域検知センサーと、前記小便器の至近距離区域に位置する人体を検知して前記送風機を一時中断させる至近距離区域検知センサーが設けられてあり、さらに、前記送風機には、前記周辺区域検知センサーが人体検知してから前記送風機が作動するまでの時間差を調節する調節部を有したタイマーと、該送風機の電圧を変圧させる変圧部を備えたことを特徴とする小便器。
【請求項２】
前記送風機付近に、臭気を防ぐ防臭剤、あるいは芳香剤を注入する注入器が設けられたことを特徴とする請求項１に記載の小便器。
【発明の詳細な説明】
【技術分野】
【０００１】
本発明は、男性が小便器に放尿する場合の小便器外への尿の飛散防止と臭気の防止に関するものである。
【背景技術】
【０００２】
従来、高速道路のパーキングエリアや大衆娯楽場の公衆トイレに於いて、男性が立ったまま放尿する場合に、尿の一部が小便器外に多々飛散していた。あるいは、放尿直後の雫が垂れて小便器周辺を汚していた。また尿の臭いもありトイレを利用する者に不快感を与えていた。それを解消するために様々な方法がとられていた。
【０００３】
これらを解決するために、その処置対策として、小便器の前の床面にマットを敷き、そのマット上に飛散した尿を吸収させ、その吸収されたマットを取り換えたり、あるいは水で洗い流したりしていた。
【０００４】
その他として、例えば特許文献１に、小便器の尿当て壁面に尿飛散防止具を設けた小便器用尿飛散防止具の技術が開示されている。特許文献２に、男子用床置型小便器における床面の乾燥、消臭装置が開示されている。特許文献３に、小便飛散防止構造並びに小便飛散防止マットの技術が開示されている。特許文献４に、男性小便器用の尿飛散防止の受皿が開示されている。
【先行技術文献】
【特許文献】
【０００５】
【特許文献１】特許公開２００６−９４４４号公報
【特許文献２】特許公開２００８−９５４１４号公報
【特許文献３】特許公開２０１２−１３５３３４号公報
【特許文献４】実用新案３０６９４３０号広報
【発明の開示】
【発明が解決しようとする課題】
【０００６】
しかしながら、上述のように、小便器に尿受マットや尿受皿等の付属品を設ける手段は常時清掃が必要であり、また外見上も不快感を与えかねない。
【０００７】
その為、本発明の根底をなす課題は、常時清掃を必要とせずに、尿を小便器外にこぼさないような尿の飛散防止及び尿の臭気を防止する小便器を提供することを目的とする。
【課題を解決するための手段】
【０００８】
そこで本発明にあっては、上記課題を解決するために講じた本発明の手段は次の通りである。第１手段にあっては、一端部側に送風機と、中間部に送風孔と、他端部側には、前記送風機から送られた風を放出する放出口が小便器の上部の周縁部付近に設けられ、前記小便器の下部方向へ向けられている。また、前記小便器付近には、前記小便器の周辺に位置する人体を検知して前記送風機を作動させる周辺区域検知センサーと、前記小便器の至近距離区域に位置する人体を検知して前記送風機を一時中断させる至近距離区域検知センサーが設けられてあり、さらに、前記送風機には、前記周辺区域検知センサーが人体検知してから前記送風機が作動するまでの時間差を調節する調節部を有したタイマーと、該送風機の電圧を変圧させる変圧部を備えたことを特徴とする小便器である。
【０００９】
これによれば、前記小便器の周辺に人体が立ち入ると、前記周辺区域検知センサーが人体を検知すると、前記タイマーが作用して、数秒経過後に前記送風機の作動が開始される。また、該送風機が作動を開始すると同時に前記変圧部も作用して、前記送風機の電圧が低電圧から電圧を上げながら特定電圧に移行するため、前記放出口から放出される風も、微風から風力を増して、放尿する者の尿を揺らす風力強度になる。但し、前記小便器の尿受け部上方の空間区域の至近距離区域に人体が立ち入ると、前記至近距離区域検知センサーが、人体を検知して、前記送風機の作動は停止され、前記放出口から放出される風も止むようになる。前記タイマーが作用してから、前記送風機が作動するまでの時間差の調節は前記タイマーの調節部で行うようにしたものであり、およそ五秒〜八秒後に、前記送風機を作動させるのが望ましく、さらに、前記送風機が作動してから、前記変圧部で最初低電圧から、およそ二秒〜四秒で特定電圧に変圧させるのが望ましい。この特定電圧とは、放尿中の尿を揺らす風力強度に調節された電圧である。前記放出口は、前記小便器の周縁部の上部外側から少し前方へ突き出るように設けるのが望ましく、また、該放出口傍には、前記周辺区域検知センサーと前記至近距離区域検知センサーの二つの前記人体検知センサーを設けるのが望ましい。前記放出口、あるいは人体検知センサーを前記小便器の上部に組み入れてもかまわない。
【００１０】
第２手段は、前記送風機付近に、臭気を防ぐ防臭剤あるいは、芳香剤を注入する注入器が設けられたことを特徴とする第１手段に係る小便器である。
【００１１】
これによれば、消臭剤または防臭剤は、前記送風機から注入して前記放出口から風に含ませて放出される。
【発明の効果】
【００１２】
本発明は、小便器の前部の下部方向に送風することで、放尿する者は、従来の立ち位置では、風力で尿が自分に跳ね返る不安があり、前記小便器により近い位置に立ち、風を止めてから用を足すことになり、前記小便器外への尿の飛散を防ぎ、前記小便器の足元床面の汚れを防止することができる。また、放尿後に前記注入器から送風孔に注入された防臭剤は、前記放出口から風と共に空気中に放出されるため、臭気が防止され、さらに悪臭による不快感も解消できる。
【図面の簡単な説明】
【００１３】
【図１】この発明の実施形態を示す一例の小便器の斜視図である。
【発明を実施するための最良の形態】
【００１４】
以下発明の実施の形態について、図面を参照しつつ詳細に説明すれば、図１は、本発明の実施例を表すもっとも一般的な形態の小便器１の概略図を示すが、一端側に送風機２と、中間部に送風孔３と、他端側に放出口４が設けられ、この放出口４は、小便器１の周縁部５上部の外側に備え付けられて小便器１の尿受け部９の方向へ向けられてあり、小便器１の周辺区域に位置する人体を検知する周辺区域検知センサー７ａと、小便器１の尿受け部９上方空間区域に位置する人体を検知する至近距離区域検知センサー７ｂは、放出口４傍に設けられている。
【００１５】
周辺区域検知センサー７ａの人体検知区域は、小便器１の内部と外部との境界から外側へ約２３０ｍｍ以内の周辺区域になっている。至近距離区域検知センサー７ｂの人体検知区域は、小便器１の内部と外部との境界から外側へ約９５ｍｍ以内の尿受け部９の上方の空間区域になっている。また、周辺区域検知センサー７ａと至近距離区域検知センサー７ｂは、送風機２に配線コード１１で接続されている。
【００１６】
周辺区域検知センサー７ａが人体検知すると、前記タイマー８ａが作用して、数秒後に送風機２が作動する。同時に、該送風機の変圧部の電圧が低電圧から増大して、およそ二秒〜四秒後に微風から風力を増して放尿中の尿を揺する風力強度になるようになっていて、この風が放出口４から小便器１の尿受け部９方向へ放出されるようになっている。但し、至近距離区域検知センサー７ｂが人体検知すると、送風機２の作動は停止するようになっている。このため、放出口４からの風も中止するようになっている。また、至近距離区域検知センサー７ｂの人体検知区域から周辺区域検知センサー７ａの人体検知区域に戻ると、送風機２からの送風は開始されるようになり、さらに離れると、送風機２は、停止するようになっている。
【００１７】
送風機２付近には、注入器６が設けられていて、この注入器６の気体化した消臭剤は、放出口４から風と共に放出するようになっている。また消臭剤の代わりに防臭剤、あるいは芳香剤を用いてもよい。
【００１８】
小便器１の前部１０付近に接近すると、赤ランプや青ランプの表示、あるいは音声で告知する装置を周辺区域検知センサー７ａや至近距離区域検知センサー７ｂと連動して設けることができる。また、送風孔３の材質は、ステンレス材やプラスチック材を用いるのが望ましい。
【００１９】
本実施の形態の小便器１は次のように使用される。つまり、図１に示すように、放尿する者が、小便器１の前部１０の周辺区域に立ち入ると、周辺区域検知センサー７ａが人体を検知し、およそ五秒〜八秒後に送風機２が作動するように調節され、さらに、送風機２が作動してから、最初の低電圧から二秒〜四秒後に特定の最大風力になり、放尿する者が、小便器１の尿受け部９の上方空間区域に立ち入ると、至近距離区域検知センサー７ｂが人体を検知し、送風機２が一時停止するため、放出口４からの風が止んでから放尿するようになる。また、放尿後、小便器１の尿受け部９の上方空間区域から外れると、送風機２は、再び作動するため、放出口４からの風も再び放出されるようになり、送風と共に注入器６から消臭剤も放出される、さらに、離れると送風機２は停止し、風は止まる。
【００２０】
又、本発明は、上記実施の形態や実施例には限定されるものではなく、特許請求の範囲において、たとえば、複数の放出口４を用いる事や、各部材の形状、機能等、適宜変更可能である。
【符号の説明】
【００２１】
１        小便器
２        送風機
３        送風孔
４        放出口
５        周縁部
６        注入器
７ａ      周辺区域検知センサー
７ｂ      至近距離区域検知センサー
８ａ      タイマー
８ｂ      変圧部
９        尿受け部
１０      前部
１１      配線コード
【図１】
2014139369.tif 000003